(57)【要約】【課題】  不用意にサイドプッシュ部材が押されても、ロック状態を維持できる信頼性の高いバックルを提供する。【解決手段】  バンド連結片、中間片、バー片５をその順で３つに折り畳んだ状態で、バンド連結片に設けられた係止突起８をカバー片５に設けられたプッシュ部材７によって係脱可能に挟み付けて係止し、このサイドプッシュ部材７をロック装置１５によってロックする。従って、サイドプッシュ部材７によってバンド連結片、中間片、カバー片５を３つに折り畳んで連結固定することができると共に、この状態でサイドプッシュ部材７をロック装置１５によって二重にロックすることができる。このため、不用意にサイドプッシュ部材７が押圧操作されても、ロック装置１５によりサイドプッシュ部材７の動作を阻止できるので、信頼性の高いものを得ることができる。【選択図】        図５
2006271845.tif 000002
【特許請求の範囲】
【請求項１】
バンドの一端部に連結されるバンド連結片と、前記バンドの他端部に連結されるカバー片と、前記バンド連結片と前記カバー片とを連結する中間片とを備え、これらが３つに折り畳まれるバックルにおいて、
前記バンド連結片、前記中間片、および前記カバー片がその順で３つに折り畳まれたときに、前記カバー片にスライド可能に設けられた一対のスライド片が付勢部材で付勢されて前記バンド連結片に設けられた係止突起を係脱可能に係止するサイドプッシュ部材と、
このサイドプッシュ部材によって前記係止突起が係止された状態で、前記サイドプッシュ部材をロックするロック装置と
を備えていることを特徴とするバックル。
【請求項２】
前記ロック装置は、前記カバー片に揺動可能に設けられた揺動部材と、この揺動部材の一端部に設けられて前記揺動部材が一方向に揺動したときに前記サイドプッシュ部材の前記一対のスライド片のスライド動作を阻止するロック部とを備えていることを特徴とする請求項１に記載のバックル。
【請求項３】
前記ロック装置は、前記ロック部によって前記一対のスライド片のスライド動作が阻止されたとき、および前記ロック部による前記一対のスライド片の動作阻止が解除されたときに、前記揺動部材の他端部を係脱可能に係止して前記揺動部材の揺動動作を規制する規制部材を備えていることを特徴とする請求項２に記載のバックル。
【請求項４】
前記ロック装置は、前記カバー片に回転可能に設けられた回転部材と、この回転部材に設けられて前記回転部材が所定位置に回転したときに前記サイドプッシュ部材の前記一対のスライド片のスライド動作を阻止するロック部とを備えていることを特徴とする請求項１に記載のバックル。
【請求項５】
前記ロック装置は、前記サイドプッシュ部材の前記一対のスライド片それぞれを、押圧操作されるプッシュ部と前記係止突起を係脱可能に係止する係止部とに分割形成し、前記プッシュ部を互いに接離する方向とこれに直交する方向とにスライド可能に設けると共に、前記プッシュ部にそれぞれ対向突起を設け、前記係止部を前記プッシュ部の接離方向へのスライド動作に伴って接離方向のみにスライド可能に設け、この状態で前記プッシュ部を接離方向に対し直交する方向にスライドさせることにより、前記対向突起を互いに対向させて前記プッシュ部の接離方向への移動を規制し、且つ前記対向突起を互いに対向しない位置に移動させて前記プッシュ部の接離方向への移動規制を解除することを特徴とする請求項１に記載のバックル。
【発明の詳細な説明】
【技術分野】
【０００１】
この発明は、時計バンドなどのバンドに用いられるバックルに関し、更に詳しくは３つに折り畳んで二重にロックするバックルに関する。
【背景技術】
【０００２】
例えば、腕時計に用いられる時計バンドは、腕に装着したときに時計バンドの両端部を連結固定するバックルを備えている。このバックルには、特許文献１に記載されているように、時計バンドの一端部に連結されるバンド連結片と、時計バンドの他端部に連結されるカバー片と、このカバー片とバンド連結片とを連結する中間片とを備え、これらを３つに折り畳んだ状態で、カバー片に設けられたサイドプッシュ部材により、バンド連結片、中間片、カバー片をその順で重ね合わせた状態で連結固定するように構成したものがある。
【特許文献１】実開平３−１０１２１１号
【０００３】
すなわち、この種のバックルは、サイドプッシュ部材がカバー片にスライド可能に設けられた一対のスライド片を備え、この一対のスライド片がばね部材によって互いに離間する方向に付勢されていることにより、一対のスライド片にそれぞれ設けられた係合部が、バンド連結片に設けられた一対の係止突起に係脱可能に係合し、これにより３つに折り畳まれたバンド連結片、中間片、カバー片を相互に連結固定し、それらが勝手に開かないように構成されている。
【発明の開示】
【発明が解決しようとする課題】
【０００４】
しかしながら、このような従来のバックルでは、不用意にサイドプッシュ部材の一対のスライド片が押されると、これら一対のスライド片がスライド動作して各係合部がバンド連結片の各係止突起から離脱するため、サイドプッシュ部材によるロックが解除されてしまい、３つに折り畳まれたバンド連結片、中間片、カバー片が勝手に開いて時計バンドが腕から脱落してしまうという問題がある。
【０００５】
この発明が解決しようとする課題は、不用意にサイドプッシュ部材が押されても、サイドプッシュ部材によるロック状態が解除されず、そのロック状態を維持することができる信頼性の高いバックルを提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図１９に示すように、バンド（時計バンド２）の一端部に連結されるバンド連結片（４）と、前記バンドの他端部に連結されるカバー片（５）と、前記バンド連結片と前記カバー片とを連結する中間片（６）とを備え、これらが３つに折り畳まれるバックルにおいて、
前記バンド連結片、前記中間片、および前記カバー片がその順で３つに折り畳まれたときに、前記カバー片にスライド可能に設けられた一対のスライド片（１０、１１）が付勢部材（ばね部材１２）で付勢されて前記バンド連結片に設けられた係止突起（８）を係脱可能に係止するサイドプッシュ部材（７）と、
このサイドプッシュ部材によって前記係止突起が係止された状態で、前記サイドプッシュ部材をロックするロック装置（１５、３０、４０）と
を備えていることを特徴とするバックルである。
【０００８】
請求項２に記載の発明は、図１〜図１０に示すように、前記ロック装置（１５）が、前記カバー片（５）に揺動可能に設けられた揺動部材（１６、２５）と、この揺動部材の一端部に設けられて前記揺動部材が一方向に揺動したときに前記サイドプッシュ部材（７）の前記一対のスライド片のスライド動作を阻止するロック部（１７）とを備えていることを特徴とする請求項１に記載のバックルである。
【０００９】
請求項３に記載の発明は、図１〜図１０に示すように、前記ロック装置（１５）が、前記ロック部（１７）によって前記一対のスライド片（１０、１１）のスライド動作が阻止されたとき、および前記ロック部による前記一対のスライド片の動作阻止が解除されたときに、前記揺動部材（１６、２５）の他端部を係脱可能に係止して前記揺動部材の揺動動作を規制する規制部材（１８）を備えていることを特徴とする請求項２に記載のバックルである。
【００１０】
請求項４に記載の発明は、図１１〜図１５に示すように、前記ロック装置（３１）が、前記カバー片（５）に回転可能に設けられた回転部材（３２）と、この回転部材に設けられて前記回転部材が所定位置に回転したときに前記サイドプッシュ部材（７）の前記一対のスライド片（１０、１１）のスライド動作を阻止するロック部（３３）とを備えていることを特徴とする請求項１に記載のバックルである。
【００１１】
請求項５に記載の発明は、図１６〜図１９に示すように、前記サイドプッシュ部材（７）の前記一対のスライド片（１０、１１）それぞれを、押圧操作されるプッシュ部（４２、４３）と、前記係止突起（８）を係脱可能に係止する係止部（挟持部４４、４５）とに分割形成し、前記プッシュ部を互いに接離する方向とこれに直交する方向とにスライド可能に設けると共に、前記プッシュ部にそれぞれ対向突起（４６、４７）を設け、前記係止部を前記プッシュ部の接離方向へのスライド動作に伴って接離方向のみにスライド可能に設け、これによりロック装置（４１）を構成し、このロック装置の前記プッシュ部を接離方向に対し直交する方向にスライドさせることにより、前記対向突起を互いに対向させて前記プッシュ部の接離方向への移動を規制し、且つ前記対向突起を互いに対向しない位置に移動させて前記プッシュ部の接離方向への移動規制を解除することを特徴とする請求項１に記載のバックルである。
【発明の効果】
【００１２】
請求項１に記載の発明によれば、バンド連結片、中間片、およびカバー片をその順で３つに折り畳んだ状態で、カバー片にスライド可能に設けられた一対のスライド片が付勢部材で付勢されてバンド連結片に設けられた係止突起を係脱可能に係止するサイドプッシュ部材と、このサイドプッシュ部材をロックするロック装置とを備えているので、サイドプッシュ部材によってバンド連結片、中間片、およびカバー片を３つに折り畳んだ状態で連結固定することができると共に、この状態でサイドプッシュ部材をロック装置によって二重にロックすることができる。
【００１３】
このため、ロック装置によるサイドプッシュ部材のロックを解除しなければ、サイドプッシュ部材を押圧操作しても、サイドプッシュ部材の一対のスライド片による係止突起の係止を解除することができないので、不用意にサイドプッシュ部材が操作されても、ロック装置によってサイドプッシュ部材によるロック状態を維持することができ、これにより信頼性の高いものを得ることができる。
【００１４】
請求項２に記載の発明によれば、ロック装置が、カバー片に揺動可能に設けられた揺動部材と、この揺動部材の一端部に設けられて揺動部材が一方向に揺動したときにサイドプッシュ部材の一対のスライド片のスライド動作を阻止するロック部とを備えていることにより、揺動部材を一方向に揺動させると、揺動部材のロック部によってサイドプッシュ部材の一対のスライド片のスライド動作を阻止することができ、これによりサイドプッシュ部材が不用意に押圧操作されても、サイドプッシュ部材によるロックが解除されるのを確実に防ぐことができる。
【００１５】
請求項３に記載の発明によれば、ロック装置が、ロック部によって一対のスライド片のスライド動作が阻止されたとき、およびロック部による一対のスライド片の動作阻止が解除されたときに、揺動部材の他端部を係脱可能に係止して揺動部材の揺動部材を規制する規制部材を備えていることにより、揺動部材を一方向に揺動させてロック部が一対のスライド片のスライド動作を阻止したときに、規制部材が揺動部材の他端部を係止して揺動部材の揺動動作を規制することができ、これによりロック部によるロック状態を確実に維持することができる。
【００１６】
また、このロック装置では、規制部材の規制力に抗して揺動部材を他方向に揺動させてロック部によるロック状態を解除したときに、規制部材が揺動部材の他端部を係止して揺動部材の揺動動作を規制することができ、これによりロック部のロック解除状態を維持することができる。この場合、規制部材がクリック感をもって揺動部材の他端部を係脱可能に係止する構成であれば、クリック感によってロック部によるロック状態とロック解除状態との切り替わりを確認することができるので、使い勝手の良いものを得ることができる。
【００１７】
請求項４に記載の発明によれば、ロック装置が、カバー片に回転可能に設けられた回転部材と、この回転部材に設けられて回転部材が所定位置に回転したときにサイドプッシュ部材の一対のスライド片のスライド動作を阻止するロック部とを備えていることにより、回転部材を所定位置に回転させると、回転部材のロック部によってサイドプッシュ部材の一対のスライド片のスライド動作を阻止することができ、これにより請求項２に記載の発明と同様、サイドプッシュ部材が不用意に押圧操作されても、サイドプッシュ部材によるロックが解除されるのを確実に防ぐことができる。
【００１８】
請求項５に記載の発明によれば、サイドプッシュ部材の一対のスライド片それぞれを、押圧操作されるプッシュ部と、係止突起を係脱可能に係止する係止部とに分割形成し、プッシュ部を互いに接離する方向とこれに直交する方向とにスライド可能に設け、このプッシュ部にそれぞれ対向突起を設け、これによりロック装置を構成しているので、サイドプッシュ部材のみでロック装置を構成することができ、このためロック装置としての部品点数を大幅に削減することができると共に、組立作業性の向上を図ることができ、低価格なものを得ることができる。
【００１９】
この場合、ロック装置は、サイドプッシュ部材のプッシュ部を接離方向に対し直交する方向にスライドさせて、プッシュ部の対向突起を互いに対向させると、プッシュ部の接離方向への移動を規制することができ、これによりサイドプッシュ部材が不用意に押圧操作されても、サイドプッシュ部材によるロックが解除されるのを確実に防ぐことができる。また、プッシュ部を接離方向に対し直交する方向にスライドさせて、プッシュ部の対向突起を互いに対向しない位置に移動させると、プッシュ部の接離方向への移動規制を解除することができる。このため、プッシュ部を接離方向に対し直交する方向にスライドさせるだけで、簡単にロック状態とロック解除状態とに切り替えることができるので、操作性が良く、使い勝手の良いものを得ることができる。
【発明を実施するための最良の形態】
【００２０】
（実施形態１）
以下、図１〜図８を参照して、この発明を時計バンドのバックルに適用した実施形態１について説明する。
図１はこの発明のバックルを時計バンドに適用した要部の拡大斜視図、図２は図１のカバー片を示した斜視図、図３は図２のＡ−Ａ矢視におけるロック状態を示した拡大断面図、図４は図３のロック解除状態を示した拡大断面図、図５は図２のＢ−Ｂ矢視におけるロック状態を示した拡大断面図、図６は図５のロック解除状態を示した拡大断面図である。
【００２１】
このバックル１は、図１に示すように、時計バンド２の一端部に連結ピン３ａによって回動可能に連結された金属製のバンド連結片４と、時計バンド２の他端部に連結ピン３ｂによって回転可能に連結された金属製のカバー片５と、このカバー片５とバンド連結片４との各端部に連結ピン３ｃ、３ｄによって連結された金属製の中間片６とを備え、これらバンド連結片４、中間片６、およびカバー片５がその順で３つに折り畳まれ、この状態でカバー片５に設けられたサイドプッシュ部材７が、バンド連結片３に設けられた係止突起８を係脱可能に係止することにより、時計バンド２の両端部を連結するように構成されている。
【００２２】
この場合、バンド連結片４の係止突起８は、図１に示すように、バンド連結片４の上面のほぼ中央部に起立して設けられ、その先端が球状の頭部８ａに形成され、この先端の頭部８ａがバンド連結片４、中間片６、およびカバー片５を３つに折り畳んだときに、中間片６に設けられた挿入孔６ａを通してカバー片５の内部に挿入するように構成されている。サイドプッシュ部材７は、図１〜図６に示すように、カバー片５の内部に設けられた支持板９上に上下に重なった状態でスライド可能に配置された一対のスライド片１０、１１と、これら一対のスライド片１０、１１を互いに離間する方向に付勢するばね部材１２とを備えている。
【００２３】
このサイドプッシュ部材７は、図３および図４に示すように、一対のスライド片１０、１１の各外端部がそれぞれカバー片５の両側部に設けられた貫通孔５ａ内に内側から挿入されて外部に突出すると共に、これら一対のスライド片１０、１１の各内端部にそれぞれ挟持部１３、１４が設けられ、一対のスライド片１０、１１がばね部材１２のばね力によって互いに離間する方向、つまり一対のスライド片１０、１１が押し広げられる方向にスライドしたときに、各挟持部１３、１４が互いに接近してバンド連結片４の係止突起８を係脱可能に挟み付けて係止するように構成されている。
【００２４】
すなわち、一対のスライド片１０、１１は、図３および図４に示すように、カバー片５の内部にその幅方向に向けてスライド可能に配置され、この状態でばね部材１２によって互いに押し広げられる方向に付勢されるように構成されている。また、各挟持部１３、１４は、一対のスライド片１０、１１の各内端部から互いに対向する方向に向けて突出して設けられた各アーム部１３ａ、１４ａと、これらアーム部１３ａ、１４ａの各先端部に設けられて互いに所定間隔をもって対向する挟持突起１３ｂ、１４ｂとを備え、これらが各スライド片１０、１１にそれぞれ一体に形成された構成になっている。
【００２５】
従って、各挟持部１３、１４は、図３および図４に示すように、一方（同図では上側）の挟持突起１３ｂがこれに対向する下側のスライド片１１の内端面側に位置し、他方（同図では下側）の挟持突起１４ｂがこれに対向する上側の係止片１０の内端面側に位置することにより、一対のスライド片１０、１１が互いに接近すると、各挟持突起１３ｂ、１４ｂが互いに離間して、バンド連結片４の係止突起８に対する挟み付けを解除し、一対の係止片１０、１１が互いに離れる方向に押し広げられると、各挟持突起１３ｂ、１４ｂが互いに接近して、バンド連結片４の係止突起８を挟み付けるように構成されている。なお、バンド連結片４の係止突起８は、その頭部８ａがカバー片５内に挿入すると、このカバー片５内の支持板９に設けられた開口部９ｂを通して各挟持突起１３ｂ、１４ｂ間に挿入するように構成されている。
【００２６】
一方、カバー片５には、図１〜図６に示すように、サイドプッシュ部材７をロックするロック装置１５が設けられている。このロック装置１５は、カバー片５に揺動可能に設けられた揺動部材１６と、この揺動部材１６の一端部（図５では左端部）に設けられて揺動部材１６が一方向（図５では反時計回り）に揺動したときにサイドプッシュ部材７の一対のスライド片１０、１１のスライド動作を阻止するロック部１７と、揺動部材１６の他端部（図４では右端部）を係脱可能に係止して揺動部材1６の揺動動作を規制する規制部材１８とを備えた構成になっている。
【００２７】
すなわち、揺動部材１６は、図５および図６に示すように、断面がほぼＭ字形状をなす中央部が窪んだ薄い箱板状に形成され、その中央部の下面が一対のスライド片１０、１１の上方に位置してカバー片５の内部に固定された固定軸１９に回動可能に取り付けられ、これによりカバー片５の開口部５ｂから上方に露出し、この状態で固定軸１９を中心にシーソー状に揺動するように構成されている。
【００２８】
ロック部１７は、図５に示すように、揺動部材１６における一端部(図５では左端部)の下部に設けられ、揺動部材１６の一端部側（同図では左側部）が上方から押されて揺動部材１６が固定軸１９を中心に一方向（図５では反時計回り）に揺動したときに、図３に示すように、一対のスライド片１０、１１にそれぞれ形成された突起部１０ａ、１１ａ間に挿入し、これにより一対のスライド片１０、１１のスライド動作を阻止するように構成されている。また、このロック１７は、図６に示すように、揺動部材１６の他端部側（同図では右側部）が上方から押されて揺動部材１６が固定軸１９を中心に他方向（図６では時計回り）に揺動したときに、突起部１０ａ、１１ａ間から離脱することにより、一対のスライド片１０、１１の動作阻止を解除するように構成されている。
【００２９】
規制部材１８は、図５〜図８に示すように、揺動部材１６の他端部に設けられた係合部２０と、この係合部２０を係脱可能に係止する係止片２１を備え、ロック部１７によって一対のスライド片１０、１１のスライド動作が阻止されたとき、およびロック部１７による一対のスライド片１０、１１の動作阻止が解除されたときに、係止片２１が係合部２０を係脱可能に係止することにより、揺動部材1６の揺動動作を規制するように構成されている。
【００３０】
この場合、係合部２０は、図７および図８に示すように、下端部が円弧状に膨らんだ形状に形成されていると共に、その下端部から上側に向けてスリット状の溝２０ａが形成され、これにより全体が弾性変形するように構成されている。係止片２１は、その中央部に係止凹部２２が設けられ、この係止凹部２２内に揺動部材１６の係合部２０が係脱可能に係合するように構成されている。
【００３１】
すなわち、係止凹部２２は、図７に示すように、その内部に係合部２０の円弧状に膨らんだ部分が係合する円形状の空洞凹部２２ａが形成され、この空洞凹部２２ａ内に図８に示すように係合部２０の円弧状に膨らんだ部分が弾力的に挿入することにより、クリック感をもって係合部２０が係脱可能に係合して揺動部材1６の揺動動作を規制するように構成されている。
【００３２】
また、この係止片２１は、図７に示すように、係合部２０の円弧状に膨らんだ部分が係止凹部２１から上方に抜け出した状態のときに、係合部２０がその弾性復帰力により係止凹部２１に勝手に挿入するのを防ぐことにより、揺動部材1６の揺動動作を規制するように構成されている。なお、揺動部材1６の両端部には、カバー片５の開口部５ｂにおける両側縁部に交互に当接して揺動部材1６の揺動範囲を規制する第１、第２ストッパ部２３、２４がそれぞれ設けられている。
【００３３】
このようなバックル１によれば、時計バンド２を腕に取り付けるときに、図１に示すように、時計バンド２の一端部に連結された金属製のバンド連結片４と、時計バンド２の他端部に連結された金属製のカバー片５と、このカバー片５とバンド連結片４とを連結する金属製の中間片６とを３つに折り畳んで重ね合わせると、バンド連結片４に設けられた係止突起８の頭部８ａが中間片６の挿入孔６ａを通してカバー片５の内部に挿入し、この挿入した係止突起８の頭部８ａをカバー片４に設けられたサイドプッシュ部材７が係脱可能に挟み付けて係止するので、時計バンド２の両端部を連結して腕に装着することができる。
【００３４】
このときには、バンド連結片４の係止突起８が中間片６の挿入孔６ａを通してカバー片５内に挿入すると、この挿入した係止突起８の頭部８ａがカバー片５内の支持板９に設けられた開口部９ｂに挿入し、この挿入した係止突起８の頭部８ａが、一対のスライド片１０、１１にそれぞれ設けられた各挟持部１３、１４の各挟持突起１３ｂ、１４ｂ間に挿入する。このときに、係止突起８の頭部８ａがサイドプッシュ部材７のばね部材１２のばね力に抗して、各挟持部１３、１４の各挟持突起１３ｂ、１４ｂを押し広げて乗り越える。
【００３５】
すなわち、各挟持突起１３ｂ、１４ｂが押し広げられるときには、ばね部材１２のばね力に抗して一対のスライド片１０、１１が互いに接近するので、ばね部材１２が圧縮される。この後、係止突起８の頭部８ａが各挟持突起１３ｂ、１４ｂを押し広げて乗り越えたときに、圧縮されたばね部材１２の復帰力によって一対のスライド片１０、１１が押し広げられると共に、各挟持突起１３ｂ、１４ｂが互いに接近して係止突起８の頭部８ａを挟み付ける。
【００３６】
この状態では、サイドプッシュ部材７の一対のスライド片１０、１１が押圧操作されると、各挟持突起１３ｂ、１４ｂによる係止突起８の挟み付けが解除されるので、時計バンド２が腕から脱落する恐れがある。これを防ぐために、ロック装置１５によりサイドプッシュ部材７をロックしてサイドプッシュ部材７の動作を阻止することにより、二重にロックする。この場合には、図５に示すように、ロック装置１５の揺動部材１６の一端部（図５では左端部）を押圧操作すると、揺動部材１６が固定軸１９を中心に図６において反時計回りに回動し、揺動部材１６の一端部に設けられたロック部１７が一対のスライド片１０、１１の各突起部１０ａ、１１ａ間に挿入して一対のスライド片１０、１１のスライド動作を阻止する。
【００３７】
このため、不用意にサイドプッシュ部材７が押圧操作されても、ロック装置１５によってサイドプッシュ部材７がロックされていることにより、一対のスライド片１０、１１がスライド動作して係止突起８の挟み付けを解除することがないので、信頼性の高いものを得ることができる。このときには、特にロック装置１５の規制部材１８が揺動部材１６の揺動動作を規制するので、ロック装置１５のロック部１７によるロック状態を確実に維持することができる。このため、ロック装置１５によるサイドプッシュ部材７のロックが勝手に解除されることがないので、より一層、信頼性の高いものを得ることができる。
【００３８】
また、ロック装置１５によるロックを解除する場合には、揺動部材１６の他端部を押圧操作して、揺動部材１６を上記と逆方向つまり図５において時計回りに揺動させると、図６に示すように、ロック部１７が一対のスライド片１０、１１の各突起部１０ａ、１１ａ間から離脱するので、ロック部１７による一対のスライド片１０、１１の動作阻止を解除することができると共に、規制部材１８が揺動部材１６の他端部を係止するので、揺動部材１６の揺動動作を規制することができる。
【００３９】
このときには、揺動部材１６の他端部に設けられた係合部２０が係止部２１に設けられた係止凹部２２内に挿入して係止され、これにより揺動部材１６の揺動動作を確実に規制することができ、これによりロック部１７のロック解除状態を維持することができる。また、係合部２０が係止部２１の係止凹部２２内に挿入するときには、クリック感をもって係合部２０が係止部２１の係止凹部２２内に係合するので、このクリック感によってロック状態とロック解除状態との切り替わりを確認することができ、これにより使い勝手の良いものを得ることができる。
【００４０】
なお、上記実施形態１では、ロック装置１５の揺動部材１６をカバー片５の中央部に設けてカバー片５の上方に露出させた構成になっているが、これに限らず、例えば図９または図１０にそれぞれ示すように構成しても良い。すなわち、図９に示された第１変形例では、揺動部材２５をカバー片５の長手方向に沿って最大限に大きく形成し、これにより揺動部材２５の操作性を向上させている。また、図１０に示された第２変形例のように、カバー片５の開口部５ｂにおける長手方向に沿う両側縁部２６を揺動部材１６よりも高く形成して、揺動部材１６がカバー片５の上方に突出しないよう構成し、これにより揺動部材１６の誤操作を防ぐと共に、外部からの衝撃に対し揺動部材１６を保護するようにしても良い。
【００４１】
（実施形態２）
次に、図１１〜図１５を参照して、この発明のバックルを時計バンドに適用した実施形態２について説明する。なお、図１〜図８に示された実施形態１と同一部分には同一符号を付して説明する。
このバックル３０は、カバー片５に設けられたロック装置３１が実施形態１と異なる構成で、これ以外は実施形態１とほぼ同じ構成なっている。
【００４２】
すなわち、このロック装置３１は、図１１〜図１５に示すように、カバー片５に回転可能に設けられた回転部材３２と、この回転部材３２に設けられて回転部材３２が所定位置に回転したときにサイドプッシュ部材７の一対のスライド片１０、１１のスライド動作を阻止するロック部３３と、このロック部３３により一対のスライド片１０、１１のスライド動作が阻止された状態のときに回転部材３２の回転を規制する第１ストッパ部３４と、ロック部３３による一対のスライド片１０、１１の動作阻止が解除された状態のときに回転部材３２の回転を規制する第２ストッパ部３５とを備えている。
【００４３】
回転部材３２は、図１２に示すように、円柱状に形成され、その中心に支持軸３６が設けられ、この支持軸３６がカバー片５の中央部に形成された開口部３７の縁部にその幅方向に取り付けられ、これにより上部側が開口部３７から上方に突出し、この状態で支持軸３６を中心に回転するように構成されている。この場合、回転部材３２は、支持軸３６を中心に勝手に回転しないように、支持軸３６に対して所定の負荷をもって回転するように取り付けられていることが望ましい。
【００４４】
ロック部３３は、図１２〜図１５に示すように、回転部材３２の下部側の外表面に設けられ、回転部材３２が所定位置に回転したときにサイドプッシュ部材７の一対のスライド片１０、１１にそれぞれ形成された突起部１０ａ、１１ａ間に挿入することにより、一対のスライド片１０、１１のスライド動作を阻止し、また回転部材３２が所定位置から離れる方向に回転したときに、一対のスライド片１０、１１の各突起部１０ａ、１１ａ間から離脱することにより、一対のスライド片１０、１１の動作阻止を解除するように構成されている。
【００４５】
第１ストッパ部３４は、図１４に示すように、回転部材３２のほぼ右側の外表面に設けられ、ロック部３３が一対のスライド片１０、１１の各突起部１０ａ、１１ａ間に挿入して、一対のスライド片１０、１１のスライド動作を阻止した状態のときに、カバー片５の開口部３７における右側の縁部に当接して、回転部材３２の回転を規制するように構成されている。
【００４６】
第２ストッパ部３５は、図１５に示すように、回転部材３２のほぼ左側の外表面に設けられ、ロック部３３が一対のスライド片１０、１１の各突起部１０ａ、１１ａ間から離脱して、ロック部３３による一対のスライド片１０、１１の動作阻止が解除された状態のときに、カバー片５の開口部３７における左側の縁部に当接して、回転部材３２の回転を規制するように構成されている。
【００４７】
なお、回転部材３２の外表面、つまりカバー片５の開口部３７から上方に露出した回転部材３２の上部側の外表面には、ローレット加工などにより滑り止め用の凹凸部３８が形成されている。また、この凹凸部３８が形成された回転部材３２の外表面には、図１１に示すように、ロック部３３が一対のスライド片１０、１１のスライド動作を阻止すると共に、第１ストッパ部３４がカバー片５の開口部３７の右側の縁部に当接した状態のときに、ロック状態であることを示すためのロック表示マーク３９が色付けにより設けられている。
【００４８】
このようなバックル３０によれば、実施形態１と同様、バンド連結片４、中間片６、カバー片５をその順で３つに折り畳んで重ね合わせると、バンド連結片４に設けられた係止突起８の頭部８ａが中間片６の挿入孔６ａを通してカバー片５の内部に挿入するので、この挿入した係止突起８の頭部８ａをカバー片４に設けられたサイドプッシュ部材７が係脱可能に挟み付けて係止することにより、時計バンド２の両端部を連結して腕に装着することができ、この状態でサイドプッシュ部材７をロック装置３１によって二重にロックすることができる。
【００４９】
すなわち、サイドプッシュ部材７は、実施形態１と同様、ばね部材１２のばね力によって一対のスライド片１０、１１が押し広げられるので、図１３に示すように、各挟持部１３、１４が互いに接近して係止突起８の頭部８ａを挟み付ける。この状態で、ロック装置３１の回転部材３２を、図１５において反時計回りに回転させると、図１４に示すように、回転部材３２に設けられたロック部３３が反時計回りに移動して、サイドプッシュ部材７の一対のスライド片１０、１１における各突起部１０ａ、１１ａ間に挿入し、これにより一対のスライド片１０、１１のスライド動作を阻止する。
【００５０】
このため、不用意にサイドプッシュ部材７が押圧操作されても、ロック装置３１によってサイドプッシュ部材７がロックされていることにより、一対のスライド片１０、１１がスライド動作しないので、実施形態１と同様、信頼性の高いものを得ることができる。また、ロック装置３１によるロックを解除する場合には、回転部材３２を図１４において時計回りに回転させると、図１５に示すように、ロック部３３が一対のスライド片１０、１１の各突起部１０ａ、１１ａ間から離脱するので、ロック部３３による一対のスライド片１０、１１のロックを解除することができる。
【００５１】
また、このように回転部材３２を回転させてサイドプッシュ部材７をロックした状態のときには、図１４に示すように、第１ストッパ部３４がカバー片５の開口部３７における右側の縁部に当接して、回転部材３２の回転動作を規制することができる。また、回転部材３２を回転させてサイドプッシュ部材７のロックを解除した状態のときには、図１５に示すように、第２ストッパ部３５がカバー片５の開口部３７における左側の縁部に当接して、回転部材３２の回転動作を規制することができる。これにより、回転部材３２が必要以上に回転するのを防ぐことができ、これによっても使い勝手の良いものを得ることができる。
【００５２】
さらに、この回転部材３２の外表面には、図１１に示すように、ローレット加工などにより滑り止め用の凹凸部３８が形成されているので、回転部材３２が支持軸３６を中心に勝手に回転しないように支持軸３６に対し所定の負荷を持って回転するように取り付けられていても、滑り止め用の凹凸部３８によって確実に且つ良好に回転部材３２を回転させることができる。また、この凹凸部３８が形成された回転部材３２の外表面には、サイドプッシュ部材７がロックされている状態のときに、そのロック状態であることを示すためのロック表示マーク３９が色付けにより設けられているので、このロック表示マーク３９によってロック部３３がロック状態であるか、ロック解除状態であるかを容易に確認することができ、これによっても使い勝手の良いものを得ることができる。
【００５３】
（実施形態３）
次に、図１６〜図１９を参照して、この発明のバックルを時計バンドに適用した実施形態３について説明する。この場合にも、図１〜図８に示された実施形態１と同一部分には同一符号を付して説明する。
このバックル４０は、カバー片５に設けられたロック装置４１が実施形態１と異なる構成で、これ以外は実施形態１とほぼ同じ構成なっている。
【００５４】
すなわち、このロック装置４１は、サイドプッシュ部材７の一対のスライド片１０、１１それぞれを、押圧操作されるプッシュ部４２、４３と、バンド連結部４の係止突起８を係脱可能に挟む挟持部４４、４５とに分割形成し、プッシュ部４２、４３を互いに接離する方向（つまりカバー片５の幅方向）とこれに直交するカバー片５の長手方向とにスライド可能に設けると共に、これらプッシュ部４２、４３に対向突起４６、４７を互いに対向する方向に突出させて設け、且つ分割された挟持部４４、４５をプッシュ部４２、４３の接離方向へのスライド動作に伴って互いに接離する方向つまりカバー片５の幅方向のみにスライド可能に設けた構成になっている。
【００５５】
この場合、カバー片５の両側部には、図１６〜図１９に示すように、スライド孔４８、４９がそれぞれ各プッシュ部４２、４３の幅よりも十分に長く形成されていると共に、各スライド孔４８、４９の位置がカバー片５の長手方向において互いにずれた状態で形成されている。すなわち、カバー片５の上辺側のスライド孔４８は、図１７〜図１９に示すように、右寄りに少しずれて形成されており、カバー片５の下辺側のスライド孔４９は、左寄りに少しずれて形成されている。
【００５６】
一対のプッシュ部４２、４３は、図１７〜図１９に示すように、その各外端部がカバー片５の両側部の各スライド孔４８、４９内に内側から挿入されて外部に突出した状態で、出没方向つまりカバー片５の幅方向にスライド可能に配置されていると共に、スライド孔４８、４９に沿うカバー片５の長手方向にもスライド可能に配置されている。この場合、各プッシュ部４２、４３は、図１７〜図１９に示すように、各スライド孔４８、４９の互いに異なる端部に当接した状態で配置されるように構成されている。
【００５７】
例えば、各プッシュ部４２、４３は、図１７に示すように、上辺側のプッシュ部４２が上辺側のスライド孔４８の左端部に当接し、下辺側のプッシュ部４３が下辺側のスライド孔４９の右端部に当接すると、上下の各プッシュ部４２、４３の外端部が互いに対向し、また図１９に示すように、上辺側のプッシュ部４２が上辺側のスライド孔４８の右端部に当接し、下辺側のプッシュ部４３が下辺側のスライド孔４９の左端部に当接すると、上下の各プッシュ部４２、４３の外端部が互いにずれるように構成されている。この場合にも、各プッシュ部４２、４３間には、図１６〜図１９に示すように、各プッシュ部４２、４３を互いに離間させる方向つまり押し広げる方向に付勢するばね部材１２が設けられている。
【００５８】
各プッシュ部４２、４３の対向突起４６、４７は、図１７〜図１９に示すように、各プッシュ部４２、４３の内端面の異なる位置に互いに接近する方向に向けて突出して設けられ、その各先端部に折曲部４６ａ、４７ａが上下の異なる方向に折り曲げられている。すなわち、対向突起４６、４７は、図１７に示すように、上辺側の対向突起４６が上辺側のプッシュ部４２の内端面の左寄りに設けられ、下辺側の対向突起４７が下辺側のプッシュ部４３の内端面の右寄りに設けられている。
【００５９】
また、対向突起４６、４７の各先端部の折曲部４６ａ、４７ａは、一対のプッシュ部４２、４３が上下に重なって配置されていることにより、上側に位置する対向突起４６の折曲部４６ａが下側に向けて折り曲げられ、下側に位置する対向突起４７の折曲部４７ａが上側に向けて折り曲げられ、これにより各折曲部４６ａ、４７ａが互いに対面したときに、当接するように構成されている。
【００６０】
従って、対向突起４６、４７は、図１７に示すように、上辺側のプッシュ部４２が上辺側のスライド孔４８の左端部に当接し、下辺側のプッシュ部４３が下辺側のスライド孔４９の右端部に当接した状態のときに、対向突起４６、４７が互いに対向しない位置にずれて配置され、これにより各プッシュ部４２、４３が図１８に示すように互いに接近する方向にスライド可能な状態になるように構成されている。
【００６１】
また、対向突起４６、４７は、図１９に示すように、上辺側のプッシュ部４２が上辺側のスライド孔４８の右端部に当接し、下辺側のプッシュ部４３が下辺側のスライド孔４９の左端部に当接した状態のときに、対向突起４６、４７が互いに対向する位置に配置され、対向突起４６、４７の各折曲部４６ａ、４７ａが互いに対面して当接可能な状態になることにより、各プッシュ部４２、４３が互いに接近する方向にスライドするのを阻止するように構成されている。
【００６２】
一方、一対の挟持部４４、４５は、図１７および図１８に示すように、各プッシュ部４２、４３の対向面に対し相対的にスライド可能に取り付けられた取付部５０、５１と、この取付部５０、５１に互いに対向する方向に向けて突出して設けられた各アーム部１３ａ、１４ａと、これらアーム部１３ａ、１４ａの各先端部に設けられて互いに所定間隔をもって対向する各挟持突起１３ｂ、１４ｂとを備え、これらが上下に重なって配置され、この状態でプッシュ部４２、４３の押圧操作に伴って互いに接離する方向のみにスライドするように構成されている。
【００６３】
すなわち、各挟持部４４、４５は、実施形態１と同様、一方（図１７では上側）の挟持突起１３ｂがこれに対向する下側の挟持部４５の取付部５１側に位置し、他方（同図では下側）の挟持突起１４ｂがこれに対向する上側の挟持部４４の取付部５０側に位置し、この状態で一対のプッシュ部４２、４３が互いに接近すると、各挟持突起１３ｂ、１４ｂが互いに離間して、バンド連結片４の係止突起８に対する挟み付けを解除し、一対のプッシュ部４２、４３が互いに離間すると、各挟持突起１３ｂ、１４ｂが互いに接近して、バンド連結片４の係止突起８を挟み付けるように構成されている。
【００６４】
また、各挟持部４４、４５は、図１７〜図１９に示すように、一対のプッシュ部４２、４３がカバー片５のスライド孔４８、４９に沿って互いに異なる方向にスライドしたときに、各取付部５０、５１がプッシュ部４２、４３に対して相対的にスライドすることにより、カバー片５に対しその長手方向にはスライドせず、カバー片５の幅方向、つまり各挟持突起１３ｂ、１４ｂの接離方向のみにスライドするように構成されている。
【００６５】
このようなバックル４０によれば、実施形態１と同様、バンド連結片４、中間片６、カバー片５をその順で３つに折り畳んで重ね合わせると、バンド連結片４に設けられた係止突起８の頭部８ａが中間片６の挿入孔６ａを通してカバー片５の内部に挿入し、この挿入した係止突起８の頭部８ａをカバー片４に設けられたサイドプッシュ部材７が係脱可能に挟み付けて係止するので、時計バンド２の両端部を連結して腕に装着することができ、この状態でサイドプッシュ部材７をロック装置４１によって二重にロックすることができる。
【００６６】
すなわち、サイドプッシュ部材７は、図１７〜図１９に示すように、ばね部材１２のばね力によって一対のプッシュ部４２、４３が押し広げられているので、各挟持部４４、４５が互いに接近して係止突起８の頭部８ａを挟み付ける。この状態で、プッシュ部４２、４３を、図１９に示すように、カバー片５のスライド孔４８、４９に沿って互いに異なる方向にスライドさせ、プッシュ部４２、４３の各対向突起４６、４７を互いに対向させると、各プッシュ部４２、４３の互いに接近する方向へのスライド動作を阻止することができる。
【００６７】
このため、不用意にサイドプッシュ部材７が押圧操作されても、ロック装置４１によってサイドプッシュ部材７がロックされていることにより、一対のプッシュ部４２、４３が互いに接近する方向にスライド動作しないので、実施形態１と同様、信頼性の高いものを得ることができる。このときには、特にロック装置４１の各プッシュ部４２、４３をカバー片５のスライド孔４８、４９に沿って互いに異なる方向にスライドさせなければ、ロック装置４１によるサイドプッシュ部材７のロックが解除されることがないので、より一層、信頼性の高いものを得ることができる。
【００６８】
また、ロック装置４１によるロックを解除する場合には、プッシュ部４２、４３を図１９においてカバー片５のスライド孔４８、４９に沿って互いに異なる方向にスライドさせ、図１７に示すように、各プッシュ部４２、４３の対向突起４６、４７を互いにずれた位置に配置させると、各プッシュ部４２、４３が互いに接近する方向にスライド可能になるので、各対向突起４６、４７による各プッシュ部４２、４３に対するロックを解除することができる。このように、このロック装置４１では、一対のプッシュ部４２、４３を接離方向に対し直交する方向にスライドさせるだけで、簡単にロック状態とロック解除状態とに切り替えることができるので、操作性が良く、使い勝手の良いものを得ることができる。
【００６９】
また、このバックル４０では、サイドプッシュ部材７の一対の係止片１０、１１それぞれを、プッシュ部４２、４３と挟持部４４、４５とに分割形成し、プッシュ部４２、４３を互いに接離する方向とこれに直交する方向とにスライド可能に設け、このプッシュ部４２、４３にそれぞれ対向突起４６、４７を設け、これによりロック装置４１を構成したので、サイドプッシュ部材７のみでロック装置４１を構成することができ、このためロック装置４１としての部品点数を大幅に削減することができると共に、組立作業性の向上を図ることができ、低価格なものを得ることができる。
【００７０】
なお、上記実施形態１〜３では、サイドプッシュ部材７の一対のスライド片１０、１１にそれぞれ挟持部１３、１４または４４、４５を設け、この挟持部１３、１４または４４、４５でバンド連結部４の係止突起８を係脱可能に挟み付けて係止するように構成した場合について述べたが、これに限らず、例えば先行文献に記載されているように、スライド片１０、１１にそれぞれ係止爪を設け、この係止爪をバンド連結部４に設けられた一対の係止突起にそれぞれ係脱可能に係合させるように構成しても良い。
【００７１】
また、上記実施形態１〜３およびその各変形例では、時計バンドに適用した場合について述べたが、必ずしも時計バンドである必要はなく、他のバンドにも広く適用することができる。
【図面の簡単な説明】
【００７２】
【図１】この発明のバックルを時計バンドに適用した要部の拡大斜視図である。（実施形態１）
【図２】図１のカバー片を示した斜視図である。
【図３】図２のＡ−Ａ矢視におけるロック状態を示した拡大断面図である。
【図４】図３におけるロック解除状態を示した拡大断面図である。
【図５】図２のＢ−Ｂ矢視におけるロック状態を示した拡大断面図である。
【図６】図５におけるロック解除状態を示した拡大断面図である。
【図７】図５の状態における規制部材の拡大断面図である。
【図８】図６の状態における規制部材の拡大断面図である。
【図９】実施形態１のロック装置の第１変形例を示した斜視図である。
【図１０】実施形態１のロック装置の第２変形例を示した斜視図である。
【図１１】この発明のバックルを時計バンドに適用したカバー片の拡大斜視図である。（実施形態２）
【図１２】図１１のＣ−Ｃ矢視における拡大断面図である。
【図１３】図１２のＤ−Ｄ矢視における拡大断面図である。
【図１４】図１３のＥ−Ｅ矢視におけるロック状態を示した拡大断面図である。
【図１５】図１４におけるロック解除状態を示した拡大断面図である。
【図１６】この発明のバックルを時計バンドに適用したカバー片の拡大斜視図である。（実施形態３）
【図１７】図１６のＦ−Ｆ矢視においてプッシュ部によるロック解除状態を示した拡大断面図である。
【図１８】図１７においてプッシュ部を押圧操作して挟持部による係止突起の挟み付けを解除した状態を示した拡大断面図である。
【図１９】図１７においてプッシュ部によるロック状態を示した拡大断面図である。
【符号の説明】
【００７３】
１、３０、４０  バックル
２  時計バンド
４  バンド連結片
５  カバー片
６  中間片
７  サイドプッシュ部材
８  係止突起
１０、１１  スライド片
１２  ばね部材
１３、１４  挟持部
１５、３１、４１  ロック装置
１６、２５  揺動部材
１７、３３  ロック部
１８  規制部材
３２  回転部材
４２、４３  プッシュ部
４４、４５  挟持部
４６、４７  対向突起
４８、４９  スライド孔
【図１】
2006271845.tif 000003
【図２】
2006271845.tif 000004
【図３】
2006271845.tif 000005
【図４】
2006271845.tif 000006
【図５】
2006271845.tif 000007
【図６】
2006271845.tif 000008
【図７】
2006271845.tif 000009
【図８】
2006271845.tif 000010
【図９】
2006271845.tif 000011
【図１０】
2006271845.tif 000012
【図１１】
2006271845.tif 000013
【図１２】
2006271845.tif 000014
【図１３】
2006271845.tif 000015
【図１４】
2006271845.tif 000016
【図１５】
2006271845.tif 000017
【図１６】
2006271845.tif 000018
【図１７】
2006271845.tif 000019
【図１８】
2006271845.tif 000020
【図１９】
2006271845.tif 000021